(57)【要約】【課題】  オーディオデータ信号に関するセクタ毎のエラー情報をそのオーディオデータ信号に先立って取得することにより、エラーが含まれるフレームの再生出力を消音するよう制御する。【解決手段】  リクエスト制御部２３１はエラー情報またはオーディオデータ信号の取得を要求する。エラー情報レジスタ２３２１には新たに受信したエラー情報が保持され、エラー情報レジスタ２３２２には１世代前のエラー情報が保持される。エラー判別器２３３はエラー情報レジスタ２３２１および２３２２に保持されたエラー情報に基づいて、訂正不能エラーを有するオーディオデータ信号のセクタを判別する。タイミング制御部２３４はエラー判別器２３３により判別されたエラーを有するセクタから、エラーを有するフレームを特定して、少なくともその特定されたフレームの再生出力を消音するよう制御する。【選択図】      図４
2005100515.tif 000002
【特許請求の範囲】
【請求項１】
オーディオデータ信号をセクタ単位で要求するデータ要求手段と、
セクタ単位で受け取ったオーディオデータ信号をフレーム単位で振り分けて各セクタと該フレームとの関係を示すフレーム情報を生成するデータ振り分け手段と、
前記セクタを単位としたエラー情報を前記オーディオデータ信号の再生に先立って要求するエラー情報要求手段と、
受け取った前記エラー情報に基づいてエラーが含まれる前記オーディオデータ信号の位置を判別するエラー判別手段と、
前記位置と前記フレーム情報とから前記エラーが含まれるフレームを特定し、特定された前記フレームの再生出力を消音する再生手段と
を具備することを特徴とする再生装置。
【請求項２】
前記フレーム情報は、前記セクタに含まれた最後のフレームの終了位置を示す情報を含む
ことを特徴とする請求項１記載の再生装置。
【請求項３】
前記オーディオデータ信号は、デルタシグマ変調された１ビットオーディオ信号を含む
ことを特徴とする請求項１記載の再生装置。
【請求項４】
前記フレームは、前記オーディオデータ信号を１６セクタ分含み、
前記エラー情報要求手段は、前記エラー情報をオーディオデータ信号よりも１６セクタ乃至３２セクタ分先に受け取るよう前記要求を行う
ことを特徴とする請求項１記載の再生装置。
【請求項５】
前記エラー情報要求手段は、前記データ要求手段が前記オーディオデータ信号を要求する前に３２セクタ分の前記エラー情報を要求し、前記データ振り分け手段が前記オーディオデータ信号を１６セクタ分受け取る度に前記エラー情報の続きをさらに１６セクタ分ずつ要求する
ことを特徴とする請求項４記載の再生装置。
【請求項６】
オーディオデータ信号をセクタ単位で要求するデータ要求手段と、
セクタ単位で受け取ったオーディオデータ信号をフレーム単位で振り分けて各セクタと該フレームとの関係を示すフレーム情報を生成するデータ振り分け手段と、
前記セクタを単位としたエラー情報を前記オーディオデータ信号の再生に先立って要求するエラー情報要求手段と、
受け取った前記エラー情報に含まれるセクタ番号の不連続を検出する不連続検出手段と、
不連続であることが検出された前記セクタ番号と前記フレーム情報とから不連続なオーディオデータ信号が含まれるフレームを特定し、特定された前記フレームの再生出力を消音する再生手段と
を具備することを特徴とする再生装置。
【請求項７】
前記フレームは、前記オーディオデータ信号を１６セクタ分含み、
前記エラー情報要求手段は、前記データ要求手段が前記オーディオデータ信号を要求する前に３２セクタ分の前記エラー情報を要求し、前記データ振り分け手段が前記オーディオデータ信号を１６セクタ分受け取る度に前記エラー情報の続きをさらに１６セクタ分ずつ要求するものであり、
前記不連続検出手段は、前記エラー情報に含まれるセクタ番号が１６セクタずつ増加していなければ前記不連続を検出したものと判断する
ことを特徴とする請求項６記載の再生装置。
【請求項８】
セクタ単位で受け取ったオーディオデータ信号をフレーム単位で振り分けて各セクタと該フレームとの関係を示すフレーム情報を生成するデータ振り分け手段と、
前記セクタを単位としたエラー情報を前記オーディオデータ信号の再生に先立って要求するエラー情報要求手段と、
受け取った前記エラー情報に含まれるセクタ番号と前記オーディオデータ信号に含まれるセクタ番号とを比較して不一致を検出する不一致検出手段と、
前記不一致が検出された後の再生出力を消音する再生手段と
を具備することを特徴とする再生装置。
【請求項９】
前記不一致検出手段は、
前記エラー情報に含まれるセクタ番号を初期値として前記データ振り分け手段が前記オーディオデータ信号を１セクタ受け取る度にカウントするセクタカウンタと、
前記オーディオデータ信号に含まれるセクタ番号と前記セクタカウンタの出力とを比較して両者が一致しない場合に前記不一致を検出したものと判断する比較器とを備える
ことを特徴とする請求項８記載の再生装置。
【請求項１０】
セクタ単位で受け取ったオーディオデータ信号をフレーム単位で振り分けて各セクタと該フレームとの関係を示すフレーム情報を生成するデータ振り分け手段と、
前記セクタを単位としたエラー情報を前記オーディオデータ信号の再生に先立って要求するエラー情報要求手段と、
前記エラー情報要求手段により要求されたエラー情報を所定のタイミングまでに受け取らない場合には当該エラー情報の不着を検出する不着検出手段と、
前記不着が検出された後の再生出力を消音する再生手段と
を具備することを特徴とする再生装置。
【請求項１１】
前記不着検出手段は、前記データ振り分け手段がフレームの振り分けを開始するときまでに前記フレームのエラー情報を受け取らない場合には前記不着を検出したものと判断する
ことを特徴とする請求項１０記載の再生装置。
【請求項１２】
オーディオデータ信号が記録された記録媒体から前記オーディオデータ信号を読み出す読み出し手段と、
前記読み出されたオーディオデータ信号のエラーを検出して前記オーディオデータ信号のセクタを単位としたエラー情報を生成するエラー検出手段と、
前記読み出されたオーディオデータ信号をセクタを単位として要求するデータ要求手段と、
前記要求に応答して受け取ったオーディオデータ信号をフレーム単位で振り分けて各セクタとフレームとの関係を示すフレーム情報を生成するデータ振り分け手段と、
前記セクタを単位としたエラー情報を前記オーディオデータ信号の再生に先立って要求するエラー情報要求手段と、
前記要求に応じて受け取ったエラー情報に基づいてエラーが含まれる前記オーディオデータ信号の位置を判別するエラー判別手段と、
前記位置と前記フレーム情報とからエラーが含まれるフレームを特定し、特定された前記フレームの再生出力を消音するよう制御するタイミング制御手段と、
前記フレームを単位として振り分けられたオーディオデータ信号の音量調整を前記タイミング制御手段の制御に基づいて行う音量調整手段と、
前記音量調整手段の出力をデジタル信号からアナログ信号へ変換するデジタルアナログ変換手段と
を具備することを特徴とする再生装置。
【発明の詳細な説明】
【技術分野】
【０００１】
本発明は、再生装置に関し、特にオーディオデータ信号を再生する再生装置に関する。
【背景技術】
【０００２】
近年、記録媒体の高密度化に伴い、従来のＣＤ（Compact Disc）よりも音質を向上させるために種々の記録方式が提案されている。その一例として、スーパーオーディオＣＤ（ＳＡＣＤ：Super Audio Compact Disc）では、デルタシグマ変調器による１ビットのデータストリームをそのまま記録するＤＳＤ（Direct Stream Digital）方式を採用することにより、１２０ｄＢ以上のダイナミックレンジと１００ＫＨｚ以上の周波数特性とを実現している。ここで、デルタシグマ変調器とは、１ビットのコンバータ（量子化器）と積分器とを組み合わせた回路であり、アナログ信号を入力する積分器の出力をコンバータによってデジタル出力に変換するとともに、そのデジタル出力をさらに積分器にフィードバックすることにより１ビットデータストリームを出力する。
【０００３】
従来のＣＤではＰＣＭ方式が採用されており、上述のデルタシグマ変調器の出力に対してさらにデシメーション処理を施してＰＣＭ信号を生成しており、マルチビットのＰＣＭ信号に変換するために間引き処理が行われる。このＰＣＭ方式では、エラー訂正コード（ＥＣＣ）に基づくエラー訂正処理によっても訂正できないエラーが存在した場合、前後の正常な値から直線補間した値に置き換えることにより、エラーの存在を目立たなくすることができる。
【０００４】
これに対して、１ビットオーディオデータ信号を記録しているＳＡＣＤでは、前後のデータもランダムに近い「０」か「１」だけであり、原理的にＰＣＭ方式のような補間処理を適用することができない。一方、エラーを有するオーディオデータ信号をそのまま音として出力してしまうと、巨大な雑音を含むことになる。このため、ＳＡＣＤにおいては、エラーを有するオーディオデータ信号が音として出力される前に消音するようにフェードアウトし、エラーがなくなった時点で再びフェードインするように音量調整処理が行われる。
【０００５】
この音量調整処理においては、エラーを有するオーディオデータ信号が再生される前にフェードアウトを完了させる必要がある。再生されたオーディオデータ信号がエラーを有すると分かってからフェードアウトを開始したのでは間に合わない。この音量調整処理は、フレーム（再生時間１／７５秒相当のデータ）を単位として実行され、次のフレームのどこかに訂正不能エラーが存在すれば、その一つ前のフレームの再生が完了する前に、フェードアウトが終わるように実行される。従って、従来の再生装置においては、オーディオデータ信号をいきなり再生することはせず、エラー情報をオーディオデータ信号とともにバッファに蓄えておき、このエラー情報を先読みすることにより早い段階でフェードアウトを開始するようにしている。
【０００６】
例えば、特許文献１のオーディオディスクプレーヤにおいては、ディスクからの読み出しやエラー処理を行う回路群（フロントエンド）から、論理層のデコードを行う回路群（バックエンド）に対してオーディオデータ信号の転送を行うために、バックエンド側にバッファを設け、このバッファに空き領域のある限りオーディオデータ信号およびエラー情報を記憶させている。
【特許文献１】特開２０００−１６３８８８号公報（図１）
【発明の開示】
【発明が解決しようとする課題】
【０００７】
上述の従来技術では、音量調整処理のために空き領域のある限りオーディオデータ信号とエラー情報とをバッファに蓄えるようにしていた。しかしながら、このバッファの容量を無尽蔵に増やすことは不可能であり、より少ない容量で同様の機能を実現できることが望ましい。
【０００８】
一方、エラー情報の先読みを行わずに各オーディオデータ信号に同期してエラー情報を判断した場合には、エラーを有するオーディオデータ信号の消音が間に合わなくなる。例えば、オーディオデータ信号の圧縮率が低く、一つのフレームを生成するために多くのセクタを要するような場合には、それだけ多くのセクタに対応するエラー情報を先読みしなければ適時の消音が実現できない。
【０００９】
そこで、本発明は、オーディオデータ信号に関するセクタ毎のエラー情報をそのオーディオデータ信号に先立って取得することにより、エラーが含まれるフレームの再生出力を消音するよう制御することを目的とする。
【課題を解決するための手段】
【００１０】
上記課題を解決するために本発明の請求項１記載の再生装置は、オーディオデータ信号をセクタ単位で要求するデータ要求手段と、セクタ単位で受け取ったオーディオデータ信号をフレーム単位で振り分けて各セクタと該フレームとの関係を示すフレーム情報を生成するデータ振り分け手段と、上記セクタを単位としたエラー情報を上記オーディオデータ信号の再生に先立って要求するエラー情報要求手段と、受け取った上記エラー情報に基づいてエラーが含まれる上記オーディオデータ信号の位置を判別するエラー判別手段と、上記位置と上記フレーム情報とから上記エラーが含まれるフレームを特定し、特定された上記フレームの再生出力を消音する再生手段とを具備する。これにより、エラーが含まれるフレームの再生出力を消音させるという作用をもたらす。
【００１１】
また、本発明の請求項２記載の再生装置は、請求項１記載の再生装置において、上記フレーム情報が、上記セクタに含まれた最後のフレームの終了位置を示す情報を含むものである。これにより、オーディオデータ信号を実際に読み出す前に、先取りしたエラー情報からエラーを有するフレームを特定させるという作用をもたらす。
【００１２】
また、本発明の請求項３記載の再生装置は、請求項１記載の再生装置において、上記オーディオデータ信号が、デルタシグマ変調された１ビットオーディオ信号を含むものである。本発明によれば、デルタシグマ変調された１ビットオーディオ信号にエラーが含まれる場合に生じるノイズを消音させるという作用をもたらす。
【００１３】
また、本発明の請求項４記載の再生装置は、請求項１記載の再生装置において、上記フレームが、上記オーディオデータ信号を１６セクタ分含み、上記エラー情報要求手段が、上記エラー情報をオーディオデータ信号よりも１６セクタ乃至３２セクタ分先に受け取るよう上記要求を行うものである。これにより、オーディオデータ信号を余分に取得することなくエラーが含まれるフレームを特定して、その再生出力を消音させるという作用をもたらす。
【００１４】
また、本発明の請求項５記載の再生装置は、請求項４記載の再生装置において、上記エラー情報要求手段が「上記データ要求手段が上記オーディオデータ信号を要求する前に３２セクタ分の上記エラー情報を要求し、上記データ振り分け手段が上記オーディオデータ信号を１６セクタ分受け取る度に上記エラー情報の続きをさらに１６セクタ分ずつ要求する」という動作を行うものである。オーディオデータ信号の処理状況に応じてエラー情報を１６セクタずつ受け取ることにより、オーディオデータ信号を余分に取得することなくエラーが含まれるフレームの再生出力を消音させるという作用をもたらす。
【００１５】
また、本発明の請求項６記載の再生装置は、オーディオデータ信号をセクタ単位で要求するデータ要求手段と、セクタ単位で受け取ったオーディオデータ信号をフレーム単位で振り分けて各セクタと該フレームとの関係を示すフレーム情報を生成するデータ振り分け手段と、上記セクタを単位としたエラー情報を上記オーディオデータ信号の再生に先立って要求するエラー情報要求手段と、受け取った上記エラー情報に含まれるセクタ番号の不連続を検出する不連続検出手段と、不連続であることが検出された上記セクタ番号と上記フレーム情報とから不連続なオーディオデータ信号が含まれるフレームを特定し、特定された上記フレームの再生出力を消音する再生手段とを具備する。これにより、不連続部分が含まれるフレームの再生出力を消音させるという作用をもたらす。
【００１６】
また、本発明の請求項７記載の再生装置は、請求項６記載の再生装置において、上記フレームが、上記オーディオデータ信号を１６セクタ分含み、上記エラー情報要求手段が「上記データ要求手段が上記オーディオデータ信号を要求する前に３２セクタ分の上記エラー情報を要求し、上記データ振り分け手段が上記オーディオデータ信号を１６セクタ分受け取る度に上記エラー情報の続きをさらに１６セクタ分ずつ要求する」という動作を行うものであり、上記不連続検出手段が「上記エラー情報に含まれるセクタ番号が１６セクタずつ増加していなければ上記不連続を検出したものと判断する」という動作を行うものである。エラー情報の有するセクタ数に応じてセクタ番号の増分値を調べることにより、不連続部分が含まれるフレームの再生出力を消音させるという作用をもたらす。
【００１７】
また、本発明の請求項８記載の再生装置は、セクタ単位で受け取ったオーディオデータ信号をフレーム単位で振り分けて各セクタと該フレームとの関係を示すフレーム情報を生成するデータ振り分け手段と、上記セクタを単位としたエラー情報を上記オーディオデータ信号の再生に先立って要求するエラー情報要求手段と、受け取った上記エラー情報に含まれるセクタ番号と上記オーディオデータ信号に含まれるセクタ番号とを比較して不一致を検出する不一致検出手段と、上記不一致が検出された後の再生出力を消音する再生手段とを具備する。これにより、エラー情報とオーディオデータ信号との間の不整合を検出してそれ以降のフレームの再生出力を消音させるという作用をもたらす。
【００１８】
また、本発明の請求項９記載の再生装置は、請求項８記載の再生装置において、上記不一致検出手段が、上記エラー情報に含まれるセクタ番号を初期値として上記データ振り分け手段が上記オーディオデータ信号を１セクタ受け取る度にカウントするセクタカウンタと、上記オーディオデータ信号に含まれるセクタ番号と上記セクタカウンタの出力とを比較して両者が一致しない場合に上記不一致を検出したものと判断する比較器とを備えるものである。複数セクターを単位とするエラー情報に対してオーディオデータ信号のセクタ番号を１セクタずつ調べることにより、エラー情報とオーディオデータ信号との間の不整合を検出してそれ以降のフレームの再生出力を消音させるという作用をもたらす。
【００１９】
また、本発明の請求項１０記載の再生装置は、セクタ単位で受け取ったオーディオデータ信号をフレーム単位で振り分けて各セクタと該フレームとの関係を示すフレーム情報を生成するデータ振り分け手段と、上記セクタを単位としたエラー情報を上記オーディオデータ信号の再生に先立って要求するエラー情報要求手段と、上記エラー情報要求手段により要求されたエラー情報を所定のタイミングまでに受け取らない場合には当該エラー情報の不着を検出する不着検出手段と、上記不着が検出された後の再生出力を消音する再生手段とを具備する。これにより、エラー情報の不着を検出してそれ以降のフレームの再生出力を消音させるという作用をもたらす。
【００２０】
また、本発明の請求項１１記載の再生装置は、請求項１０記載の再生装置において、上記不着検出手段が、「上記データ振り分け手段がフレームの振り分けを開始するときまでに上記フレームのエラー情報を受け取らない場合には上記不着を検出したものと判断する」という動作を行うものである。フレーム振り分けの開始時までにそのフレームに相当するエラー情報を受け取らないことを検出することにより、それ以降のフレームの再生出力を消音させるという作用をもたらす。
【００２１】
また、本発明の請求項１２記載の再生装置は、オーディオデータ信号が記録された記録媒体から上記オーディオデータ信号を読み出す読み出し手段と、上記読み出されたオーディオデータ信号のエラーを検出して上記オーディオデータ信号のセクタを単位としたエラー情報を生成するエラー検出手段と、上記読み出されたオーディオデータ信号をセクタを単位として要求するデータ要求手段と、上記要求に応答して受け取ったオーディオデータ信号をフレーム単位で振り分けて各セクタとフレームとの関係を示すフレーム情報を生成するデータ振り分け手段と、上記セクタを単位としたエラー情報を上記オーディオデータ信号の再生に先立って要求するエラー情報要求手段と、上記要求に応じて受け取ったエラー情報に基づいてエラーが含まれる上記オーディオデータ信号の位置を判別するエラー判別手段と、上記位置と上記フレーム情報とからエラーが含まれるフレームを特定し、特定された上記フレームの再生出力を消音するよう制御するタイミング制御手段と、上記フレームを単位として振り分けられたオーディオデータ信号の音量調整を上記タイミング制御手段の制御に基づいて行う音量調整手段と、上記音量調整手段の出力をデジタル信号からアナログ信号へ変換するデジタルアナログ変換手段とを具備する。これにより、エラーが含まれるフレームの再生出力を消音したアナログ信号を出力させるという作用をもたらす。
【発明の効果】
【００２２】
本発明によれば、オーディオデータ信号に関するセクタ毎のエラー情報をそのオーディオデータ信号に先立って取得することにより、エラーが含まれるフレームの再生出力を消音するよう制御できるという優れた効果を奏し得る。
【発明を実施するための最良の形態】
【００２３】
次に本発明の実施の形態について図面を参照して詳細に説明する。
【００２４】
図１は、本発明の実施の形態におけるオーディオディスク再生装置の一構成例を示す図である。このオーディオディスク再生装置は、ディスクに記録された１ビットオーディオデータ信号を読み出して音声データとして再生する装置であり、ディスクから信号を読み出すピックアップ１１０と、読み出された信号を増幅および整形するＲＦアンプ１２０と、波形整形されたＲＦ信号に対して前処理を施す前処理部１３０と、前処理の施されたＲＦ信号をオーディオデータ信号として保持するメモリ１４０と、論理層のデコード処理を行う再生処理部２００と、デコード処理されたデジタル信号をアナログのオーディオ信号に変換するデジタルアナログ（Ｄ／Ａ）変換器３１０とを備えている。
【００２５】
ピックアップ１１０は、１ビットオーディオデータ信号の記録されたディスクから物理層の信号として、ＲＦ信号、フォーカスエラー信号およびトラッキングエラー信号を読み出す。ＲＦアンプ１２０は、ＲＦ信号に波形整形処理を施し、また、フォーカスエラー信号およびトラッキングエラー信号を増幅する。なお、これらフォーカスエラー信号およびトラッキングエラー信号に基づいて、ディスクを回転させるスピンドルモータやピックアップの動作が制御される。
【００２６】
前処理部１３０は、ＲＦアンプ１２０から受け取ったＲＦ信号に対してＰＬＬで再生クロックを生成し、ＲＦ信号の２値化および復調（ＥＦＭ＋）、ならびに、エラー訂正コードに基づくエラー訂正処理を行う。このエラー訂正処理には、例えばリード・ソロモン積符号のようなブロック符号が用いられる。このエラー訂正処理によっても訂正できないエラーが存在するか否かは、セクタを単位とするエラーフラグにより表される。すなわち、訂正不能なエラーデータが存在するセクタについてはエラーフラグがアクティブにされ、訂正不能なエラーデータが存在しないセクタについてはエラーフラグがインアクティブにされる。
【００２７】
メモリ１４０は、エラー訂正処理の施されたＲＦ信号をオーディオデータ信号として保持する。また、メモリ１４０は、エラー訂正処理により生成されたエラーフラグをエラー情報として保持する。前処理部１３０は、このメモリ１４０に保持されたオーディオデータ信号およびエラー情報を、再生処理部２００からの要求に応じて供給する。
【００２８】
再生処理部２００は、いわゆるバックエンドとして機能するものであり、前処理部１３０との間で制御のやりとりを行う制御インターフェース２１０と、前処理部１３０との間でオーディオデータ信号のやりとりを行うデータインターフェース２２０と、デコード処理を行うデータ管理部２３０と、フレーム（再生時間１／７５秒相当のデータ）毎にオーディオデータ信号を保持するフレームバッファ２４０と、オーディオデータ信号の圧縮を伸張する圧縮伸張部２５０と、オーディオデータ信号の音量調整を行うフェーダ２６０とを備えている。
【００２９】
制御インターフェース２１０は、データ管理部２３０からの要求に応じて前処理部１３０に対してオーディオデータ信号またはエラー情報を要求する。また、制御インターフェース２１０は、前処理部１３０からエラー情報を受け取り、データ管理部２３０に供給する。一方、データインターフェース２２０は、前処理部１３０からオーディオデータ信号を受け取り、データ管理部２３０に供給する。
【００３０】
データ管理部２３０は、制御インターフェース２１０を通じて前処理部１３０からのエラー情報またはオーディオデータ信号の取得を要求する。データ管理部２３０は、データインターフェース２２０を通じてセクタを単位としてオーディオデータ信号を受け取り、このオーディオデータ信号をフレーム毎に振り分ける。また、データ管理部２３０は、制御インターフェース２１０を通じて１６セクタ毎にエラー情報を受け取り、このエラー情報およびオーディオデータ信号に基づいてエラーを有するフレームを特定してその特定されたフレームの再生出力が消音されるようにフェーダ２６０を制御する。
【００３１】
フレームバッファ２４０は、データ管理部２３０においてフレーム毎に振り分けられたオーディオデータ信号を保持する。フレームバッファ２４０は、それぞれ異なるフレームを保持するバッファ２４１および２４２と、バッファ２４１および２４２の何れかの出力を選択する選択器２４３とを備える。バッファ２４１および２４２のうち一方の出力が選択器２４３により選択されている場合には、他方がデータ管理部２３０による書込み対象となる。すなわち、バッファ２４１および２４２は交互に書き込まれ、読み出されることになる。
【００３２】
圧縮伸張部２５０は、オーディオデータ信号がＤＳＴ（Direct Stream Transfer）エンコードにより圧縮されている場合に、その圧縮を伸張するものである。ＤＳＴエンコードされていないオーディオデータ信号については処理を行わず、そのままフェーダ２６０にオーディオデータ信号を出力する。
【００３３】
フェーダ２６０は、データ管理部２３０からの制御に従って、圧縮伸張部２５０から出力されたオーディオデータ信号の音量調整を行う。あるフレームの消音（ミュート）を行う際には、なるべく不自然にならないように、前後のフレームにおいてフェードアウトおよびフェードインを行う。
【００３４】
Ｄ／Ａ変換器３１０は、フェーダ２６０から出力されたデジタル信号を受けて、波形整形し、ローパスフィルタを通すことによりアナログ信号に変換する。これにより、アナログのオーディオ信号が出力される。
【００３５】
図２は、本発明の実施の形態におけるエラー情報の一構成例を示す図である。エラー情報は、図２（ａ）に示されるように、先頭セクタ番号レジスタ２１１と、エラーセクタ情報レジスタ２１２とを備えている。ここでは、一例として、先頭セクタ番号レジスタ２１１を２４ビット、エラーセクタ情報レジスタ２１２を１６ビットと想定している。
【００３６】
エラーセクタ情報レジスタ２１２は、図２（ｂ）に示されるように、オーディオデータ信号の各セクタに対応して１ビットのエラーフラグを保持する。例えば、このエラーフラグが「１」であれば対応するセクタに訂正不能なエラーが含まれていることを意味し、「０」であれば対応するセクタに訂正不能なエラーが含まれていないことを意味する。この例では、オーディオデータ信号の１６セクタ分をひとかたまりのブロックデータ２０１として扱い、各セクタに対応するエラーフラグ１６ビットがエラーセクタ情報レジスタ２１２に保持されるように構成されている。
【００３７】
先頭セクタ番号レジスタ２１１は、図２（ｂ）に示されるように、ブロックデータ２０１の先頭セクタのセクタ番号を保持する。従って、この先頭セクタ番号レジスタ２１１に保持される先頭セクタのセクタ番号に対して、ブロックデータ２０１の相対セクタ番号を加算することにより、ブロックデータ２０１の各セクタのセクタ番号を算出することができる。
【００３８】
図３は、本発明の実施の形態におけるオーディオデータ信号の一構成例を示す図である。図３（ａ）に示されるように、ディスクから読み出されたセクタ単位のデータは、１２バイトのヘッダ情報２２１と、２０４８バイトのデータ領域２２２と、４バイトのエラー訂正コード２２３とにより構成される。エラー訂正コード２２３は、データ領域２２２に対するエラー訂正コードであり、上述のように前処理部１３０におけるエラー訂正処理に用いられる。
【００３９】
ヘッダ情報２２１は、図３（ｂ）に示されるように、１バイトのセクタ情報２２４と、３バイトのセクタ番号２２５と、２バイトのエラー訂正コード２２６と、６バイトの予約領域とから構成される。セクタ情報２２４は、セクターフォーマットタイプ、トラッキング方法、反射率、エリアタイプなどのセクタの物理情報である。セクタ番号２２５は、そのセクタのセクタ番号である。エラー訂正コード２２６は、ヘッダ情報２２１のセクタ情報およびセクタ番号２２５に対するエラー訂正コードである。
【００４０】
データ領域２２２は、図３（ｃ）に示されるように、先頭部分にフレーム境界数２２７と、フレーム境界位置２２８と、フレーム終了位置２２９とを保持し、残る領域に本来のデータを保持している。フレーム境界数２２７は、セクタ中に含まれるフレーム境界の数を示す。ここで、各フレームは、再生時間に換算して１／７５秒に相当するデータであり、１乃至１６のセクタを含んで構成される。また、各セクタは複数のフレームに跨ることが許容されている。従って、特に圧縮率が高い場合にはセクタ内に複数のフレーム境界が存在する可能性がある。なお、セクタ中にフレーム境界が存在しない場合には、このフレーム境界数２２７は「０」を示す。
【００４１】
フレーム境界位置２２８は、セクタ中に含まれるフレーム境界の位置を示すものである。このフレーム境界の位置としては、例えば、データ領域２２２の先頭からのアドレスを用いることができ、また、所定のパケットの識別番号により特定するようにしてもよい。なお、このフレーム境界位置２２８は、フレーム境界数２２７に応じた数だけ含まれることになる。
【００４２】
フレーム終了位置２２９は、セクタ中に含まれるフレームのうち最後のフレームの終了位置を示すものである。すなわち、最後のフレームは、最短の場合であればそのセクタの最終バイトで終了するが、一般的には後続のセクタに跨って存在する。このフレーム終了位置２２９は、その最後のフレームが後続の何れのセクタまで続くものであるかを示す。このフレーム終了位置２２９と図２のエラー情報とを組み合わせることにより、後続のセクタを実際に読み出す前に、そのフレームにエラーが含まれているか否かを判断することができる。
【００４３】
図４は、本発明の実施の形態におけるデータ管理部２３０の第１の構成例を示す図である。このデータ管理部２３０の第１の構成例は、リクエスト制御部２３１と、エラー情報レジスタ２３２１および２３２２と、エラー判別器２３３と、タイミング制御部２３４と、セクタ番号検出器２３６と、データメモリ２３７と、データソータ２３８と、フレームカウンタ２３９とを備えている。
【００４４】
リクエスト制御部２３１は、制御インターフェース２１０を通じて前処理部１３０からのエラー情報またはオーディオデータ信号の取得を要求する。この要求に対するエラー情報は、制御インターフェース２１０を通じてエラー情報レジスタ２３２１によって受け取られる。また、要求に対するオーディオデータ信号は、データインターフェース２２０を通じてデータメモリ２３７によって受け取られる。
【００４５】
リクエスト制御部２３１は、例えば、再生開始の際に、最初の３２セクタ分のエラー情報を要求し、その後、１６セクタ分のオーディオデータ信号がデータメモリ２３７によって受け取られる度に１６セクタ分のエラー情報を要求する。一方、最初の３２セクタ分のエラー情報がエラー情報レジスタ２３２１によって受け取られると、リクエスト制御部２３１はオーディオデータ信号を１セクタずつ要求する。これらにより、オーディオデータ信号よりも先行して１６セクタ乃至３２セクタ分のエラー情報がエラー情報レジスタ２３２１および２３２２に保持されるよう制御される。
【００４６】
エラー情報レジスタ２３２１は、リクエスト制御部２３１によって要求されたエラー情報を保持する。このエラー情報レジスタ２３２１は、図２の例のように、例えば１６セクタ分のエラーフラグを含む。エラー情報レジスタ２３２２は、エラー情報レジスタ２３２１に新たなエラー情報が保持される際にそれまでエラー情報レジスタ２３２１に保持されていたエラー情報を保持する。すなわち、エラー情報レジスタ２３２１には新たに受信したエラー情報が保持され、エラー情報レジスタ２３２２には１世代前のエラー情報が保持される。これにより、上述の例によれば、エラー情報レジスタ２３２１および２３２２には、結果として３２セクタ分のエラー情報が保持されることになる。
【００４７】
エラー判別器２３３は、エラー情報レジスタ２３２１および２３２２に保持されたエラー情報に基づいて、訂正不能エラーを有するオーディオデータ信号のセクタを判別する。すなわち、エラーセクタ情報レジスタ２１２の各セクタに対応するエラーフラグがアクティブであればエラーを有し、インアクティブであればエラーを有さないとの判断を行う。セクタ番号は、先頭セクタ番号レジスタ２１１の先頭セクタ番号に対して各セクタの相対セクタ番号を加算することにより取得することができる。
【００４８】
タイミング制御部２３４は、エラー判別器２３３により判別されたエラーを有するセクタから、エラーを有するフレームを特定して、少なくともその特定されたフレームの再生出力を消音するようフェーダ２６０を制御する。この際、タイミング制御部２３４は、なるべく不自然にならないように、前後のフレームにおいてフェードアウトおよびフェードインを行うよう制御する。
【００４９】
「エラーを有するセクタ」から「エラーを有するフレーム」を特定するために、タイミング制御部２３４は、データソータ２３８から供給されるセクタのフレーム境界数２２７またはフレーム終了位置２２９（図３）を参照する。例えば、圧縮率が高くて「エラーを有するセクタ」に多数のフレームが含まれる場合には、フレーム境界数２２７を参照することにより「エラーを有するフレーム」を特定することができる。すなわち、フレーム境界数２２７が「０」であれば「エラーを有するフレーム」は１つだけであり、フレーム境界数２２７が「２」であれば「エラーを有するフレーム」は前後合わせて計３つのフレームとなる。
【００５０】
一方、圧縮率が低い場合には、「エラーを有するセクタ」が数セクタ先であっても「エラーを有するフレーム」に該当する可能性がある。これは、フレーム終了位置２２９を参照することにより判断できる。例えば、データソータ２３８に保持されているオーディオデータ信号のセクタよりも３セクタ分後ろに「エラーを有するセクタ」が存在するとの判別結果がエラー判別器２３３により示されている場合、フレーム終了位置２２９が１セクタ先を示していれば現在のフレームは「エラーを有するフレーム」に該当しないが、もしフレーム終了位置２２９が５セクタ先を示していれば現在のフレームは「エラーを有するフレーム」に該当することになる。
【００５１】
セクタ番号検出器２３６は、データインターフェース２２０からデータメモリ２３７に供給されるオーディオデータ信号のセクタ番号２２５を参照することにより、データメモリ２３７の受け取ったセクタ番号を検出する。これにより、リクエスト制御部２３１は、データメモリ２３７が１６セクタ分のオーディオデータ信号を受け取る度に、制御インターフェース２１０を通じてさらに１６セクタ分のエラー情報を要求する。
【００５２】
データメモリ２３７は、データインターフェース２２０から供給されるオーディオデータ信号を保持する。このデータメモリ２３７は、先入れ先出し型のＦＩＦＯメモリにより構成することができ、１セクタ分のオーディオデータ信号はデータインターフェース２２０から供給された順にデータソータ２３８により読み出されていく。そして、１セクタ分のオーディオデータ信号の残りが少なくなると、その旨がリクエスト制御部２３１に通知される。この通知により、リクエスト制御部２３１は次の１セクタ分のオーディオデータ信号を制御インターフェース２１０を通じて要求する。
【００５３】
データソータ２３８は、データメモリ２３７からオーディオデータ信号を読み出し、フレームに振り分ける。このフレームの振り分けの際には、フレーム境界位置２２８（図３）が参照される。振り分けられたオーディオデータ信号は、フレーム毎に異なるバッファ２４１または２４２に保持される。
【００５４】
フレームカウンタ２３９は、１／７５秒毎に計数するカウンタである。このフレームカウンタ２３９は、データソータ２３８やタイミング制御部２３４に対してフレームの区切りを知らせる役割を果たす。また、このフレームカウンタ２３９の値は、選択器２４３の選択信号としても用いることができる。例えば、フレームカウンタ２３９の最下位ビットが「０」の場合にはバッファ２４１の出力を圧縮伸張部２５０に供給させ、「１」の場合にはバッファ２４２の出力を圧縮伸張部２５０に供給させるようにすることができる。
【００５５】
図５は、本発明の実施の形態におけるデータ管理部２３０の第１の構成例の正常時の動作を示す図である。まず、再生の開始が指示されると、リクエスト制御部２３１は、１６セクタ分のエラー情報を２回要求する。すなわち、予め３２セクタ分のエラー情報をエラー情報レジスタ２３２１および２３２２に保持させる。
【００５６】
続いて、リクエスト制御部２３１は、オーディオデータ信号を１セクタ分ずつ要求する。データソータ２３８は、オーディオデータ信号のフレーム境界位置２２８を参照してフレームの振り分けを行う。図５の例では、第０セクタから第３セクタの途中までが第０フレームとして振り分けられ、第３セクタの途中から第５セクタの途中までが第１フレームとして振り分けられている。
【００５７】
データソータ２３８がフレーム振り分けを行うタイミングは、フレームカウンタ２３９により与えられる。すなわち、フレームカウンタ２３９に同期して第０セクタから第０フレームへの振り分けが行われ、第３セクタの途中までで第０フレームへの振り分けが終わった後は、次の第１フレームへの振り分けをすぐに行わず、フレームカウンタ２３９の計数を待つ。そして、次にフレームカウンタ２３９が計数されると、第３セクタの途中から第１フレームへの振り分けが行われる。
【００５８】
その後、オーディオデータ信号の第１５セクタがデータメモリ２３７によって受け取られると、リクエスト制御部２３１はさらに１６セクタ分のエラー情報を要求する。このエラー情報を受け取ったエラー情報レジスタ２３２１は、それまで保持していた内容をエラー情報レジスタ２３２２に移す。
【００５９】
図５のフレームカウンタ２３９の値は、フレームバッファ２４０から出力されるフレームの番号を示している。例えば、第０フレームに相当するオーディオデータ信号がフレームバッファ２４０から出力されているタイミングでは、データソータ２３８は第１フレームに相当するオーディオデータ信号の振り分けを行っていることがわかる。そのため、バッファ２４１が第０フレームの保持を担当し、バッファ２４２が第１フレームの保持を担当するといった要領で、バッファ２４１および２４２をフレーム毎に交互に利用するように制御される。
【００６０】
図６は、本発明の実施の形態におけるオーディオデータ信号の再生出力の消音のタイミングを示す図である。例えば、第ｉフレームに訂正不能なエラー２９９が含まれていたとすると、少なくともその第ｉフレームの再生出力を消音するようフェード信号が制御される。これにより、エラー２９９に起因する雑音は出力されなくなる。
【００６１】
また、第（ｉ−１）フレームの再生が終了するまでに消音が完了するようフェード信号が制御される。このとき、急激な消音により不自然な再生出力とならないようフェードアウトされる。一方、第（ｉ＋１）フレームの再生が始まると音量を元に戻すようフェード信号が制御される。このとき、急激な増音により不自然な再生出力とならないようフェードインが行われる。これにより、図６の処理後の波形のようにエラーによる雑音を出力しない再生出力が得られる。
【００６２】
フェード信号は、タイミング制御部２３４から出力され、フェーダ２６０に供給される。フェーダ２６０は、エラーを含むフレームを消音したオーディオデータ信号をＤ／Ａ変換器３１０に出力する。
【００６３】
図７は、本発明の実施の形態におけるデータ管理部２３０の第１の構成例のエラー検出時の動作を示す図である。ここでは、最も圧縮率が低い場合として、１フレーム当り１６セクタずつ要するものとしている。すなわち、第０フレームが第０セクタから第１５セクタにより構成され、第１フレームが第１６セクタから第３１セクタにより構成される。また、この図７の例では、第４０セクタにエラーが含まれているものとしている。
【００６４】
リクエスト制御部２３１が１６セクタ分ずつエラー情報を要求し、３つ目のエラー情報がエラー情報レジスタ２３２１に受け取られると、エラー判別器２３３は第４０セクタにエラーが含まれることを検出する。タイミング制御部２３４は、フレームカウンタ２３９が第１フレームを示すタイミングで（すなわち、データソータ２３８が第２フレームを振り分けるタイミングで）、第２フレームの先頭である第３２セクタのフレーム終了位置２２９を参照し、第２フレームが第４７セクタまで続くことを検知する。これにより、エラーを有する第４０セクタは第２フレームに含まれること、すなわち第２フレームがエラーを含むことを判断する。
【００６５】
これにより、タイミング制御部２３４は、その１つ手前の第１フレームの再生タイミングにおいてフェードアウトが完了するようにフェーダ２６０を制御する。第２フレームの再生タイミングにおいては消音状態が維持され、その１つ後の第３フレームの再生タイミングにおいてフェードインが行われる。このようにして、エラーを含む第２フレームの再生出力が消音される。
【００６６】
このように、本発明の実施の形態におけるデータ管理部２３０の第１の構成例によれば、エラー判別器２３３によりエラーを有するセクタを判別し、タイミング制御部２３４によってエラーを有するフレームを特定することにより、その特定されたフレームの再生出力を消音するようフェーダ２６０を制御することができる。
【００６７】
次に、本発明の実施の形態におけるデータ管理部２３０の第２の構成例について図面を参照して説明する。
【００６８】
図８は、本発明の実施の形態におけるデータ管理部２３０の第２の構成例を示す図である。このデータ管理部２３０の第２の構成例は、図４のデータ管理部２３０の第１の構成例におけるエラー判別器２３３に代えて、加算器２３３１および比較器２３３２を備えることにより構成される。加算器２３３１は、エラー情報レジスタ２３２２に保持される先頭セクタ番号にセクタ数「１６」を加算するものである。また、比較器２３３２は、エラー情報レジスタ２３２１に保持される先頭セクタ番号と、加算器２３３１の出力とを比較して両者の不一致を検出するものである。
【００６９】
エラー情報は、通常の場合、連続するセクタを示すものであり、エラー情報レジスタ２３２２の先頭セクタ番号とエラー情報レジスタ２３２１の先頭セクタ番号とは連続するはずである。図２のようにエラー情報が１６セクタ分のエラーフラグを備えるものとすると、エラー情報レジスタ２３２２の先頭セクタ番号に「１６」を加算したものは、エラー情報レジスタ２３２１の先頭セクタ番号に一致するはずである。従って、もし両者が一致しない場合には、セクタ番号に不連続を生じたものと推認することができる。
【００７０】
このような事象は、オーディオデータ信号の早送り再生を行う場合にも生じる。１ビットオーディオデータ信号の場合、信号だけでなく量子化ノイズも連続性を有しているため、本来連続していない信号同士をつないで連続再生すると、不要なノイズを再生してしまうことになる。そこで、このような不連続を生じたフレームについては、エラーを有するフレームと同様に消音処理を行う。
【００７１】
なお、エラー情報の先頭セクタ番号を用いてセクタ番号の不連続を検出するに当たっては、エラー情報に含まれる１６セクタの途中から再生を開始したり、途中でジャンプする等の制御は禁止しておく必要がある。
【００７２】
図９は、本発明の実施の形態におけるデータ管理部２３０の第２の構成例の不連続検出時の動作を示す図である。ここでは、最も圧縮率が低い場合として、１フレーム当り１６セクタずつ要するものとしている。すなわち、第０フレームが第０セクタから第１５セクタにより構成され、第１フレームが第１６セクタから第３１セクタにより構成される。また、この図９の例では、第３１セクタから第１２８セクタにジャンプを生じているものとしている。
【００７３】
リクエスト制御部２３１が１６セクタ分ずつエラー情報を要求し、３つ目のエラー情報がエラー情報レジスタ２３２１に受け取られると、比較器２３３２はエラー情報レジスタ２３２１の先頭セクタ番号とエラー情報レジスタ２３２２の先頭セクタ番号との間に不連続を生じていることを検出する。タイミング制御部２３４は、フレームカウンタ２３９が第０フレームを示すタイミングで（すなわち、データソータ２３８が第１フレームを振り分けるタイミングで）、第１フレームの第３１セクタのフレーム終了位置２２９を参照し、第１フレームが第３１セクタまでで終了することを検知する。これにより、不連続を生じる第１２８セクタはその次の第２フレームであることを判断する。
【００７４】
これにより、タイミング制御部２３４は、その１つ手前の第１フレームの再生タイミングにおいてフェードアウトが完了するようにフェーダ２６０を制御する。第２フレームの再生タイミングにおいては消音状態が維持される。その後のエラー情報の先頭セクタ番号が連続していることから、第３フレームの再生タイミングにおいてフェードインが行われる。このようにして、不連続部分を含む第２フレームの再生出力が消音される。
【００７５】
このように、本発明の実施の形態におけるデータ管理部２３０の第２の構成例によれば、加算器２３３１および比較器２３３２によりセクタ番号に不連続を生じるセクタを判別し、タイミング制御部２３４によって不連続部分を有するフレームを特定することにより、その特定されたフレームの再生出力を消音するようフェーダ２６０を制御することができる。
【００７６】
次に、本発明の実施の形態におけるデータ管理部２３０の第３の構成例について図面を参照して説明する。
【００７７】
図１０は、本発明の実施の形態におけるデータ管理部２３０の第３の構成例を示す図である。このデータ管理部２３０の第３の構成例は、図４のデータ管理部２３０の第１の構成例におけるエラー判別器２３３に代えて、セクタカウンタ２３３３および比較器２３３４を備えることにより構成される。セクタカウンタ２３３３は、エラー情報レジスタ２３２２の先頭セクタ番号を初期値として、データメモリ２３７が１セクタ分のオーディオデータ信号を受け取る度に計数するカウンタである。比較器２３３４は、セクタカウンタ２３３３の出力とセクタ番号検出器２３６の出力とを比較して両者の不一致を検出するものである。
【００７８】
このような不一致が生じた場合には、エラー情報またはオーディオデータ信号において何らかの不具合が生じたものと推認することができる。エラー情報とオーディオデータ信号との間で整合性を維持できないと、正常な処理を行うことができず、その結果としてノイズの発生や再生の異常終了を招くことになる。そこで、エラー情報とオーディオデータ信号との間で整合性を維持できないと判断した場合には、速やかに再生出力を消音し、再生動作を終了するよう制御する。
【００７９】
図１１は、本発明の実施の形態におけるデータ管理部２３０の第３の構成例の不整合検出時の動作を示す図である。ここでは、最も圧縮率が低い場合として、１フレーム当り１６セクタずつ要するものとしている。すなわち、第０フレームが第０セクタから第１５セクタにより構成され、第１フレームが第１６セクタから第３１セクタにより構成される。また、この図１１の例では、オーディオデータ信号において第３１セクタから第６４セクタにジャンプを生じているものとしている。
【００８０】
リクエスト制御部２３１が１６セクタ分ずつエラー情報を要求し、２つ目のエラー情報がエラー情報レジスタ２３２１に受け取られると、１つ目のエラー情報はエラー情報レジスタ２３２２に保持される。これにより、セクタカウンタ２３３３は、先頭セクタ番号の「０」を初期値として設定する。そして、データメモリ２３７が１セクタ分のオーディオデータ信号を受け取る度に「１」ずつ計数する。このとき、比較器２３３４は、セクタ番号検出器２３６によって検出されたオーディオデータ信号のセクタ番号とセクタカウンタ２３３３の出力とを比較する。第３１セクタまでは両者が一致しているため、比較器２３３４は「一致」を出力する。
【００８１】
４つ目のエラー情報がエラー情報レジスタ２３２１に受け取られ、３つ目のエラー情報がエラー情報レジスタ２３２２に保持されると、セクタカウンタ２３３３は先頭セクタ番号の「３２」を初期値として設定する。一方、セクタ番号検出器２３６により検出されたセクタ番号は「６４」を示している。これにより、比較器２３３４は「不一致」を出力する。すると、タイミング制御部２３４は、異常状態が検出されたものと認識して、それ以降の再生出力を消音するようフェーダ２６０を制御する。上述の第１の構成例または第２の構成例とは異なり、第３の構成例においては再試行不可能な異常状態が検出されるため、特定のフレームを待つことなく速やかに消音が実行される。
【００８２】
このように、本発明の実施の形態におけるデータ管理部２３０の第３の構成例によれば、セクタカウンタ２３３３および比較器２３３４によりエラー情報とオーディオデータ信号との間の不整合を検出することにより、それ以降のフレームの再生出力を消音するようフェーダ２６０を制御することができる。
【００８３】
次に、本発明の実施の形態におけるデータ管理部２３０の第４の構成例について図面を参照して説明する。
【００８４】
図１２は、本発明の実施の形態におけるデータ管理部２３０の第４の構成例を示す図である。このデータ管理部２３０の第４の構成例は、図４のデータ管理部２３０の第１の構成例におけるエラー判別器２３３に代えて、入力検出器２３３５を備えることにより構成される。この入力検出器２３３５は、エラー情報がエラー情報レジスタ２３２１に入力されたことを検知する。そして、データソータ２３８がフレームの振り分けを開始するときまでにそのフレームに相当するエラー情報が入力されない場合には、エラー情報が不着であることを検出する。
【００８５】
第１の構成例において示したように、エラーを有するフレームを消音するためには、そのフレームの一つ手前のフレームからフェードアウトを行う必要がある。従って、フレームの振り分けを開始するときまでにそのフレームに相当するエラー情報が入力されない場合には、そのフレームがエラーを有するか否かの判断が間に合わなくなる。そこで、入力検出器２３３５においてそのようなエラー情報の不着を検出した場合には、速やかに再生出力を消音し、再生動作を終了するよう制御する。
【００８６】
図１３は、本発明の実施の形態におけるデータ管理部２３０の第４の構成例のエラー情報不着検出時の動作を示す図である。ここでは、最も圧縮率が低い場合として、１フレーム当り１６セクタずつ要するものとしている。すなわち、第０フレームが第０セクタから第１５セクタにより構成され、第１フレームが第１６セクタから第３１セクタにより構成される。また、この図１３の例では、３つ目のエラー情報が不着であった場合を示している。
【００８７】
リクエスト制御部２３１が１６セクタ分ずつエラー情報を要求し、３つ目のエラー情報を要求した後、データソータ２３８は第０フレームの振り分けを終了して、第１フレームの振り分けを行う。本来であれば、この間に３つ目のエラー情報がエラー情報レジスタ２３２１に入力されるはずである。ところが、何らかの要因により３つ目のエラー情報の入力が遅れ、第２フレームの振り分けを開始するタイミングに間に合わない場合、入力検出器２３３５は、エラー情報の不着を検出する。入力検出器２３３５は、データソータ２３８における第１フレームの振り分けの終了およびフレームカウンタ２３９による第２フレームの振り分けの開始タイミングを検知することにより、３つ目のエラー情報の入力の期限切れを判断する。
【００８８】
すると、タイミング制御部２３４は、異常状態が検出されたものと認識して、それ以降の再生出力を消音するようフェーダ２６０を制御する。上述の第３の構成例と同様に、第４の構成例においては再試行不可能な異常状態が検出されるため、特定のフレームを待つことなく速やかに消音が実行される。
【００８９】
このように、本発明の実施の形態におけるデータ管理部２３０の第４の構成例によれば、入力検出器２３３５によりエラー情報の不着を検出することにより、それ以降のフレームの再生出力を消音するようフェーダ２６０を制御することができる。
【００９０】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００９１】
すなわち、請求項１において、データ要求手段およびエラー情報要求手段は例えばリクエスト制御部２３１に対応する。また、データ振り分け手段は例えばデータメモリ２３７およびデータソータ２３８に対応する。また、エラー判別手段は例えばエラー判別器２３３に対応する。また、再生手段は例えばタイミング制御部２３４およびフェーダ２６０に対応する。
【００９２】
また、請求項２において、セクタに含まれた最後のフレームの終了位置は例えばフレーム終了位置２２９に対応する。
【００９３】
また、請求項６において、データ要求手段およびエラー情報要求手段は例えばリクエスト制御部２３１に対応する。また、データ振り分け手段は例えばデータメモリ２３７およびデータソータ２３８に対応する。また、不連続検出手段は例えば加算器２３３１および比較器２３３２に対応する。また、再生手段は例えばタイミング制御部２３４およびフェーダ２６０に対応する。
【００９４】
また、請求項８において、データ要求手段およびエラー情報要求手段は例えばリクエスト制御部２３１に対応する。また、データ振り分け手段は例えばデータメモリ２３７およびデータソータ２３８に対応する。また、不一致検出手段は例えばセクタカウンタ２３３３および比較器２３３４に対応する。また、再生手段は例えばタイミング制御部２３４およびフェーダ２６０に対応する。
【００９５】
また、請求項１０において、データ要求手段およびエラー情報要求手段は例えばリクエスト制御部２３１に対応する。また、データ振り分け手段は例えばデータメモリ２３７およびデータソータ２３８に対応する。また不着検出手段は例えば入力検出部２３３５に対応する。また、再生手段は例えばタイミング制御部２３４およびフェーダ２６０に対応する。
【００９６】
また、請求項１２において、読出し手段は例えばピックアップ１１０に対応する。また、エラー検出手段は例えば前処理部１３０に対応する。データ要求手段およびエラー情報要求手段は例えばリクエスト制御部２３１に対応する。また、データ振り分け手段は例えばデータメモリ２３７およびデータソータ２３８に対応する。また、エラー判別手段は例えばエラー判別器２３３に対応する。また、再生手段は例えばタイミング制御部２３４に対応する。また、音量調整手段は例えばフェーダ２６０に対応する。また、デジタルアナログ変換手段は例えばＤ／Ａ変換器３１０に対応する。
【００９７】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【産業上の利用可能性】
【００９８】
本発明の活用例として、例えばスーパーオーディオＣＤにおける１ビットオーディオデータ信号の訂正不能データを消音するよう制御を行う際に本発明を適用することができる。
【図面の簡単な説明】
【００９９】
【図１】本発明の実施の形態におけるオーディオディスク再生装置の一構成例を示す図である。
【図２】本発明の実施の形態におけるエラー情報の一構成例を示す図である。
【図３】本発明の実施の形態におけるオーディオデータ信号の一構成例を示す図である。
【図４】本発明の実施の形態におけるデータ管理部２３０の第１の構成例を示す図である。
【図５】本発明の実施の形態におけるデータ管理部２３０の第１の構成例の正常時の動作を示す図である。
【図６】本発明の実施の形態におけるオーディオデータ信号の再生出力の消音のタイミングを示す図である。
【図７】本発明の実施の形態におけるデータ管理部２３０の第１の構成例のエラー検出時の動作を示す図である。
【図８】本発明の実施の形態におけるデータ管理部２３０の第２の構成例を示す図である。
【図９】本発明の実施の形態におけるデータ管理部２３０の第２の構成例の不連続検出時の動作を示す図である。
【図１０】本発明の実施の形態におけるデータ管理部２３０の第３の構成例を示す図である。
【図１１】本発明の実施の形態におけるデータ管理部２３０の第３の構成例の不整合検出時の動作を示す図である。
【図１２】本発明の実施の形態におけるデータ管理部２３０の第４の構成例を示す図である。
【図１３】本発明の実施の形態におけるデータ管理部２３０の第４の構成例のエラー情報不着検出時の動作を示す図である。
【符号の説明】
【０１００】
１１０  ピックアップ
１２０  ＲＦアンプ
１３０  前処理部
１４０  メモリ
２００  再生処理部
２１０  制御インターフェース
２１１  先頭セクタ番号レジスタ
２１２  エラーセクタ情報レジスタ
２２０  データインターフェース
２２１  ヘッダ情報
２２２  データ領域
２２３  エラー訂正コード
２２４  セクタ情報
２２５  セクタ番号
２２６  エラー訂正コード
２２７  フレーム境界数
２２８  フレーム境界位置
２２９  フレーム終了位置
２３０  データ管理部
２３１  リクエスト制御部
２３３  エラー判別器
２３４  タイミング制御部
２３６  セクタ番号検出器
２３７  データメモリ
２３８  データソータ
２３９  フレームカウンタ
２４０  フレームバッファ
２４１、２４２  バッファ
２４３  選択器
２５０  圧縮伸張部
２６０  フェーダ
２９９  エラー
３１０  Ｄ／Ａ変換器
２３２１、２３２２  エラー情報レジスタ
２３３１  加算器
２３３２、２３３４  比較器
２３３３  セクタカウンタ
２３３５  入力検出器
【図１】
2005100515.tif 000003
【図２】
2005100515.tif 000004
【図３】
2005100515.tif 000005
【図４】
2005100515.tif 000006
【図５】
2005100515.tif 000007
【図６】
2005100515.tif 000008
【図７】
2005100515.tif 000009
【図８】
2005100515.tif 000010
【図９】
2005100515.tif 000011
【図１０】
2005100515.tif 000012
【図１１】
2005100515.tif 000013
【図１２】
2005100515.tif 000014
【図１３】
2005100515.tif 000015